(57)【要約】【課題】  突っ張り脚に対する立ち上がり姿勢の保持を簡単に解除できるドアストッパーを提供する。【解決手段】  本発明は、ドア２を開放状態に保持しておくためのドアストッパー１に関する。本発明のドアストッパー１は、ドア２の下部に取り付け可能な取付部材６と、先端側の当接部１３を床面４に当接させることでドア２が閉鎖方向へ移動するのを阻止する突っ張り姿勢Ａとなり得るように、基端部が取付部材５に上下揺動自在に枢着された突っ張り脚６と、当接部１３が床面４から離脱して突っ張り脚６が上方に向く立ち上がり姿勢Ｂとなるように、突っ張り脚６を保持する保持部材１７と、を備える。保持部材１７は、利用者によるワンタッチの押動操作により突っ張り脚６に対する保持を解除する解除機能を有する。【選択図】図１
2014145244.tif 000002
【特許請求の範囲】
【請求項１】
ドアを開放状態に保持しておくためのドアストッパーであって、
ドアの下部に取り付け可能な取付部材と、
先端側の当接部を床面に当接させることで前記ドアが閉鎖方向へ移動するのを阻止する突っ張り姿勢となり得るように、基端部が前記取付部材に上下揺動自在に枢着された突っ張り脚と、
前記当接部が床面から離脱して前記突っ張り脚が上方に向く立ち上がり姿勢となるように、前記突っ張り脚を保持する保持部材と、を備えており、
前記保持部材は、利用者によるワンタッチの押動操作により前記突っ張り脚に対する保持を解除する解除機能を有することを特徴とするドアストッパー。
【請求項２】
前記取付部材は、前記突っ張り脚の枢着部を下端部に有し、立ち上がり姿勢の前記突っ張り脚とほぼ同じ長さに形成されている請求項１に記載のドアストッパー。
【請求項３】
前記保持部材は、前記当接部に係脱自在であり、当該当接部に対する係合を解除する押動操作が可能となるように前記取付部材の上端部に設けられた操作部と、
前記操作部に対する押動操作に伴って、前記突っ張り脚を前記ドアから離れる方向へ揺動させるアシスト部と、を有する請求項２に記載のドアストッパー。
【請求項４】
前記保持部材は、前記取付部材の上端部に前後揺動自在に取り付けられており、
前記操作部は、立ち上がり姿勢の前記突っ張り脚の当接部に係脱自在であり、
前記アシスト部は、前記操作部をドア側に倒す押動操作に伴って、前記突っ張り脚を前記ドアの反対側に押し出す請求項３に記載のドアストッパー。
【発明の詳細な説明】
【技術分野】
【０００１】  本発明は、ドアを開放状態に保持しておくためのドアストッパーに関する。
【背景技術】
【０００２】  例えば、マンションや一戸建て住宅その他の建物の玄関ドア（開き戸）は、一般に、油圧力やばね力で作動するドアクローザーによって常に閉鎖方向に付勢されている。
そこで、このような常に閉鎖方向に付勢されたドアを、荷物の搬入出や通風等の際に開放状態に保持しておく目的で、ドアストッパーがドアに設けられることがある。【０００３】  かかるドアストッパーは、通常、ドアの下部に取り付け可能な取付部材と、この取付部材に基端部が上下揺動自在に枢着されかつ床面に対する当接部を先端側に有する突っ張り脚と、を備えている。
この突っ張り脚は、その当接部を床面に当接させることでドアが閉鎖方向へ移動するのを阻止する突っ張り姿勢と、その当接部材が床面から離脱して当該突っ張り脚が上方に向く立ち上がり姿勢とに切り換え自在となっている。【０００４】  そして、従来では、突っ張り脚を立ち上がり姿勢に保持するための保持手段として、筒状に形成された突っ張り脚の基端部の左右両側に形成した長孔から径外方向に突出するように同基端部内に収納された係止ばねと、取付部材の左右両側壁における突っ張り脚が上方揺動したときに前記係止ばねと対応する位置に形成されたばね係止部と、から構成されたものが採用されている（特許文献１の図１〜図３参照）。
【先行技術文献】
【特許文献】
【０００５】
【特許文献１】  実公平７−１２５９０号公報
【発明の概要】
【発明が解決しようとする課題】
【０００６】  上記従来の保持手段では、立ち上がり姿勢に保持された突っ張り脚に対する保持を解除して突っ張り姿勢にするためには、突っ張り脚の先端部がドアから離れるように強制的に前方に揺動させればよい。
一般に、上記の解除作業は、手で行うこともできるが、突っ張り脚の先端部に足裏を引っ掛けて行うことも可能である。【０００７】  しかし、突っ張り脚の先端部を足裏で操作するためには、利用者は、いったん片足でバランス良く立った状態になって当該操作を行う必要がある。従って、例えば、若者に比べてバランス感覚が衰えた年配者等にとっては、立ち上がり姿勢の保持を解除するのが困難な場合があり、結局、その保持の解除が手で行われることが多かった。
そこで、本発明の課題は、突っ張り脚に対する立ち上がり姿勢の保持を簡単に解除できるドアストッパーを提供する点にある。
【課題を解決するための手段】
【０００８】  本発明は、ドアを開放状態に保持しておくためのドアストッパーであって、ドアの下部に取り付け可能な取付部材と、先端側の当接部を床面に当接させることで前記ドアが閉鎖方向へ移動するのを阻止する突っ張り姿勢となり得るように、基端部が前記取付部材に上下揺動自在に枢着された突っ張り脚と、前記当接部が床面から離脱して前記突っ張り脚が上方に向く立ち上がり姿勢となるように、前記突っ張り脚を保持する保持部材と、を備えており、前記保持部材は、利用者によるワンタッチの押動操作により前記突っ張り脚に対する保持を解除する解除機能を有することを特徴とする。【０００９】  本発明のドアストッパーによれば、保持部材が、利用者によるワンタッチの押動操作により突っ張り脚に対する保持を解除する解除機能を有するので、突っ張り脚の先端部を足裏で操作する必要がある従来のドアストッパーに比べて、突っ張り脚に対する立ち上がり姿勢の保持を簡単に解除することができる。
このため、バランス感覚が衰えた年配者等でも、立ち上がり姿勢の保持を容易に解除できる付加価値の高いドアストッパーが得られる。【００１０】  本発明のドアストッパーにおいて、前記取付部材は、例えば、前記突っ張り脚の枢着部を下端部に有し、立ち上がり姿勢の前記突っ張り脚とほぼ同じ長さに形成された部材を採用することができる。【００１１】  この場合、前記保持部材としては、前記当接部に係脱自在であり、当該当接部に対する係合を解除する押動操作が可能となるように前記取付部材の上端部に設けられた操作部と、前記操作部に対する押動操作に伴って、前記突っ張り脚を前記ドアから離れる方向へ揺動させるアシスト部と、を有する部材を採用することが好ましい。【００１２】  より具体的には、前記保持部材は、前記取付部材の上端部に前後揺動自在に取り付けられており、前記操作部が、立ち上がり姿勢の前記突っ張り脚の当接面に係脱自在であり、前記アシスト部が、前記操作部をドア側に倒す押動操作に伴って、前記突っ張り脚を前記ドアの反対側に押し出すように構成すればよい。【００１３】  かかる構成の保持部材を採用すれば、アシスト部が、操作部をドア側に倒す押動操作に伴って、突っ張り脚をドアの反対側に押し出すので、かかるアシスト動作によって立ち上がり姿勢の突っ張り脚が強制的に前方へ揺動し始める。
このため、かかるアシスト動作が行われない場合に比べて、突っ張り脚をより確実に突っ張り姿勢にすることができる。
【発明の効果】
【００１４】  以上の通り、本発明のドアストッパーによれば、保持部材が、利用者によるワンタッチの押動操作により突っ張り脚に対する保持を解除する解除機能を有するので、突っ張り脚に対する立ち上がり姿勢の保持を簡単に解除することができる。
【図面の簡単な説明】
【００１５】
【図１】  本発明の実施形態に係るドアストッパーの取付状態を示す側面図である。
【図２】  ドアストッパーの側面図である。
【図３】  （ａ）はドアストッパーの正面図であり、（ｂ）はドアストッパーの平面図である。
【発明を実施するための形態】
【００１６】  以下、図面を参照しつつ、本発明の実施形態を説明する。
図１に示すように、本実施形態のドアストッパー１は、閉鎖方向に付勢された、例えば鋼製の開き戸よりなるドア２を開放状態に保持しておくために、そのドア２の室内側面３の下部に固定して使用されるものである。
【００１７】  従って、このドアストッパー１は、突っ張り脚６の当接部１３を床面４に当接させることでドア２が閉鎖方向（図１の左側）へ移動するのを阻止する突っ張り姿勢Ａ（図１の姿勢）と、当接部１３が床面４から離脱して突っ張り脚６が上方に向く立ち上がり姿勢Ｂ（図２の姿勢）とに切り換え自在である。
なお、本実施形態のドアストッパー１は、室内側へ開くドア２の場合には、そのドア２の室外側面に取り付けて使用されることもある。
【００１８】  ドアストッパー１は、ドア２の下部に取り付け可能な取付部材５と、この取付部材５に基端部が上下揺動自在に枢着され、かつ、床面４に対する当接部１３を先端側に有する突っ張り脚６と、を備えている。
図２及び図３に示すように、取付部材５は、硬質プラスチック製又は金属製のケーシング８と、このケーシング８の取付面側（図２の右側）に収納された永久磁石９とを備えている。
【００１９】  ケーシング８は、正面から見て上下方向に長いほぼ短冊状に形成されている。また、ケーシング８は、上下方向に延びかつ幅が一定の収納溝部１０を正面側に有している。
永久磁石９は、ケーシング８を鋼製のドア２に仮止め又は本止めするためのものである。もっとも、非磁性材料よりなるドア２の場合には、永久磁石９での固定ができなので、ケーシング８をネジ止めや接着剤によってドア２に取り付けることにしてもよい。
【００２０】  突っ張り脚６は、収納溝部１０の溝幅よりもやや小さい幅寸法である板状のアーム部材１２と、このアーム部材１２の先端部に固定されたゴム製の当接部１３とを有する。
ケーシング８の下端部には、突っ張り脚６を構成するアーム部材１２の基端部を、その幅方向（図１及び図２の紙面貫通方向）に貫通する枢着軸１４が架設され、この枢着軸１４により、アーム部材１２（突っ張り脚６）の基端部がケーシング８の下端部に対して上下揺動自在に枢着されている。
【００２１】  図２及び図３に示すように、突っ張り脚６は、取付部材５のケーシング８とほぼ同じ長さ（図例では、ケーシング８よりも若干短い。）に形成され、アーム部材１２は、立ち上がり姿勢Ｂにおいて、その断面全体がケーシング８の収納溝部１０の内部にほぼ収まる断面寸法となっている。
また、突っ張り脚６の当接部１３の当接面には、床面４に対する滑り止め突条と、後述する保持部材１７が係脱自在に引っ掛かる被掛止部１５が形成されている。
【００２２】  図１〜図３に示すように、ドアストッパー１は、更に、当接部１３が床面４から離脱して突っ張り脚６が上方に向く立ち上がり姿勢Ｂとなるように、当該突っ張り脚６を保持する保持部材１７を備えている。
本実施形態の保持部材１７は、立ち上がり姿勢Ｂの突っ張り脚６の当接部１３に係脱自在である操作部１８と、この操作部１８をドア２側に倒す押動操作に伴って突っ張り脚６をドア２から離れる方向に揺動させるアシスト部１９とを有する。
【００２３】  操作部１８は、正面側に滑り止め突条が形成された、側面視ほぼ三角形状の樹脂部材よりなり、ケーシング８の上端縁よりも上方に突出する位置に配置されている。
また、操作部１８は、立ち上がり姿勢Ｂの突っ張り脚６に対して、その当接部１３に形成された被掛止部１５に係脱自在に引っ掛かる掛止部２０を下端縁に有する。
操作部１８の下端部には、回動部２１がドア２側に突出した状態で一体に形成されている。この回動部２１は、枢着ピンを介してケーシング８の上端部に回動自在に取り付けられている。
【００２４】  アシスト部１９は、回動部２１から下方に一体に延びる左右一対のアーム片よりなる。ケーシング８における収納溝部１０の上端部分には、それらのアーム片１９，１９を収納可能な一対のスリット溝２２が形成されている（図３参照）。
上記の枢着ピンには、アーム片１９をスリット溝２２の底面側（図２の右側）に付勢する、巻きバネよりなる付勢部材２３が設けられている。この付勢部材２３の一端はケーシング８の上壁内面に当接しており、他端はアーム片１９に掛止されている。
【００２５】  このため、付勢部材２３のバネ力に対抗して、操作部１８をドア２側に倒す方向（図２の矢印Ｘ方向）に押動操作すると、掛止部２０が被掛止部１５から外れるとともに、アシスト部１９がドア２から離れる方向（図２の矢印Ｙ方向）に回動する。これにより、アシスト部１９が突っ張り脚６のアーム部材１２の背面を前方へ押し出し、突っ張り脚６の上端部がドア２の反対側に移動して下方に揺動する。
また、操作部１８に対する押動操作を取り止めると、付勢部材２３のバネ力によってアシスト部１９がスリット溝２２の内部に戻るとともに、操作部１８が元の立姿勢に戻る。
【００２６】  次に、上記構成に係るドアストッパー１の使用方法及び作用を説明する。
本実施形態のドアストッパー１を使用するには、まず、取付部材５の背面側をドア２の室内側面３の下部に密着させ、永久磁石９の磁力等により、取付部材５をドア２の室内側面３の下部に取り付ける。
【００２７】  なお、図１に示すように、本実施形態のドアストッパー１では、突っ張り姿勢Ａのアーム部材１２がケーシング８の前面となす角度αが概ね１５０度になるドア２の高さ位置に、ケーシング８を取り付けることが推奨される。
【００２８】  そして、ドアストッパー１を使用しない場合には、突っ張り脚６を上方へ揺動させて、その当接部１３の被掛止部１５を保持部材１７の掛止部２０に引っ掛けることにより、突っ張り脚６を図２に示す立ち上がり姿勢Ｂに保持しておく。
一方、荷物の搬入出や通風等のためドア２を開放状態に保持したいときは、足裏やステッキなどの道具を用いて、操作部１８をドア２側に倒す方向に押動操作する。
【００２９】  すると、上記掛止部２０と被掛止部１５との係合が外れ、突っ張り脚６の先端部が前方（ドア２から離れる方向）に移動可能な状態となるとともに、アシスト部１９が突っ張り脚６を構成するアーム部材１２の背面を前方へ押し出す。
これにより、突っ張り脚６が自重で下方に揺動し、当接部１３が床面４に当接して突っ張り脚６が突っ張り姿勢Ａとなり、ドア２が閉鎖方向に移動するのが規制される。
【００３０】  本実施形態のドアストッパー１によれば、保持部材１７が、利用者によるワンタッチの押動操作（具体的には、保持部材１７に形成された操作部１８をドア２側に倒す押動操作）により、突っ張り脚６に対する保持を解除する解除機能を有している。
このため、突っ張り脚６の先端部を足裏で操作する必要がある従来のドアストッパーの場合に比べて、突っ張り脚６に対する立ち上がり姿勢Ｂの保持をより簡単に解除することができる。
【００３１】  また、本実施形態のドアストッパー１によれば、保持部材１７に対する押動動作によって、突っ張り脚６に対する保持が解除されるだけでなく、アシスト部１９が突っ張り脚６の背面を前方に押し出す。
このため、保持部材１７による突っ張り脚６の保持が解除されると同時に、突っ張り脚６の先端部がドア２の反対側へ移動して下方に回動することになり、突っ張り脚６をより確実に突っ張り姿勢Ａにすることができる。
【００３２】  本発明は上記実施形態に限定されるものではない。
例えば、上記実施形態では、操作部１８をドア２側に押動操作する構成の保持部材１７を採用しているが、それ以外の方向（例えば下方）に操作部１８を押動操作することにより、突っ張り脚６に対する保持の解除や、アシスト部１９による突っ張り脚６への押し出しを行う保持部材１７を採用することにしてもよい。
【符号の説明】
【００３３】１：ドアストッパー    ２：ドア    ３：室内側面    ４：床面    ５：取付部材
６：突っ張り脚    ８：ケーシング    ９：永久磁石    １０：収納溝部
１２：アーム部材    １３：当接部    １４：枢着軸    １５：被掛止部
１７：保持部材    １８：操作部    １９：アシスト部（アーム片）    ２０：掛止部
２１：回動部    ２２：スリット溝    ２３：付勢部材
Ａ：突っ張り姿勢    Ｂ：立ち上がり姿勢
【図１】
2014145244.tif 000003
【図２】
2014145244.tif 000004
【図３】
2014145244.tif 000005